(57)【要約】【課題】カーボン繊維が細かく編み込まれた格子模様に近い疑似模様を安価に実現できる装飾層を備える物品を提供する。【解決手段】本発明に係る物品の装飾層Ａは、素材本体を全体的に視認できるようにする第１の矩形領域１０と、素材本体を視認できないようにする非視認部１２および素材本体を視認できるようにする視認部１４を有する第２の矩形領域１５とを備えるとともに、第１の矩形領域１０と第２の矩形領域１５とが交互に格子状に配列されて成る。【選択図】  図３
2015195733.tif 000002
【特許請求の範囲】
【請求項１】
繊維強化樹脂材により形成される素材本体の外表面上に装飾層を備える物品であって、
前記装飾層は、前記素材本体を全体的に視認できるようにする第１の矩形領域と、前記素材本体を視認できないようにする非視認部および前記素材本体を視認できるようにする視認部を有する第２の矩形領域とを備えるとともに、前記第１の矩形領域と前記第２の矩形領域とが交互に格子状に配列されて成ることを特徴とする物品。
【請求項２】
前記第２の矩形領域の前記視認部が複数設けられ、これらの視認部はそれぞれ、前記第２の矩形領域の矩形の一辺と略平行に延びることを特徴とする請求項１に記載の物品。
。
【請求項３】
前記各視認部が不連続的または連続的に延びることを特徴とする請求項２に記載の物品。
【請求項４】
前記各視認部が長方形を成すことを特徴とする請求項２または請求項３に記載の物品。
【請求項５】
前記長方形の短辺の長さが０．１５〜０．２ｍｍであることを特徴とする請求項４に記載の物品。
【請求項６】
前記矩形領域が正方形であることを特徴とする請求項１ないし請求項５のいずれか１項に記載の物品。
【請求項７】
前記正方形の一辺の長さが１．３ｍｍ〜１．５ｍｍであることを特徴とする請求項６に記載の物品。
【請求項８】
前記第１の矩形領域及び／又は前記第２の矩形領域の前記視認部は、前記素材本体を透けて見えるようにする透明層から成ることを特徴とする請求項１ないし請求項７のいずれか１項に記載の物品。
【請求項９】
前記第１の矩形領域及び／又は前記第２の矩形領域の前記視認部は、前記素材本体を露出させることを特徴とする請求項１ないし請求項７のいずれか１項に記載の物品。
【請求項１０】
前記素材本体を形成する繊維強化樹脂材の繊維が前記素材本体の表面に露出して素材本体の長手軸方向に沿って延び、前記視認部が前記繊維の延在方向に延びることを特徴とする請求項１ないし請求項９のいずれか１項に記載の物品。
【発明の詳細な説明】
【技術分野】
【０００１】
本発明は、装飾層を外表面に備える物品に関する。
【背景技術】
【０００２】
外表面に装飾が施された物品は、各種産業分野で多種多様に見出されるが、例えば、管状物品の一つである釣竿においても、通常、その外周面に様々な装飾が施されている。
【０００３】
一般に、管状物品の外周面に施される装飾は、特許文献１に開示されるように、吹付け塗装やシゴキ塗装等の塗装、スクリーン印刷やインクジェット印刷等の印刷、シールの貼り付けなどによって形成することが知られている。また、釣竿のような管状物品は、特許文献２に開示されるように、強化繊維（カーボン繊維）を強化材とした繊維強化プラスチック（ＦＲＰ）で形成されることが多く、表面にクリア層を塗布することで、そのような強化繊維の表面を露出させることも可能である。
【先行技術文献】
【特許文献】
【０００４】
【特許文献１】特開２００８−２０６４１５号
【特許文献２】特開２０１０−２２１５６８号
【発明の概要】
【発明が解決しようとする課題】
【０００５】
ところで、前述のように、管状物品をＦＲＰで形成する場合、表面に網目の模様（平織状態の模様）が視認できるように構成することで、カーボン製であることや、細かく編み込まれた状態（精密性）であることをアピールすることができ、それにより、需要者の購買意欲の向上が図れるようになる。
【０００６】
しかしながら、表面を網目模様にするためには、常法に従って管状物品を製造する際、強化繊維を平織状態にしたプリプレグシートをマンドレルの最外層（外層側）に巻回する必要があり、そのため、製造工程が複雑となって、製造コストも高くなる。
【０００７】
一方、製造コストを下げるため、一部の産業分野においては、高価な物品に似せた疑似的な装飾層を表面処理することにより、あたかも高価な物品であるかのような見栄えを実現させて、購買意欲を喚起することも行なわれているが、釣竿においてそのような手法を適用して、カーボン繊維が細かく編み込まれた格子模様に近い疑似模様を塗装や印刷などの表面処理だけで安価に実現することは難しい。すなわち、そのような疑似的模様は、多くの場合、単に平面的となって、グラデーションを出すことも難しく、実際のプリプレグシートで視認できるような平織の細かく編み込まれた精密性（外観、質感など）を醸し出すことが難しい。
また、以上の問題は、管状物品に限らず、様々な形態の物品についても当てはまる。
【０００８】
本発明は、上記した問題に着目してなされたものであり、カーボン繊維が細かく編み込まれた格子模様に近い疑似模様を安価に実現できる装飾層を備える物品を提供することを目的とする。
【課題を解決するための手段】
【０００９】
上記した目的を達成するために、本発明は、繊維強化樹脂材により形成される素材本体の外表面上に装飾層を備える物品であって、前記装飾層は、前記素材本体を全体的に視認できるようにする第１の矩形領域と、前記素材本体を視認できないようにする非視認部および前記素材本体を視認できるようにする視認部を有する第２の矩形領域とを備えるとともに、前記第１の矩形領域と前記第２の矩形領域とが交互に格子状に配列されて成ることを特徴とする。
【００１０】
このように、本発明の物品の装飾層は、素材本体を全体的に視認できる第１の矩形領域と、素材本体を視認できない非視認部および素材本体を視認できる視認部を有する第２の矩形領域とが交互に格子状に配列されることにより形成されるため、言い換えると、素材本体を全体的に視認できる領域と素材本体を部分的にしか視認できない領域とが交互に格子状に配列されて形成されるため、格子状の様々な部位から素材本体が奥行きをもって見え隠れする立体感およびグラデーションのある模様を実現できる。
【００１１】
したがって、素材本体の外表面にカーボン繊維が露出さえしていれば（平織のような繊維の複雑な編み込み形態（特に格子模様）ではなく、例えば単純に繊維が軸長方向に延びているだけの無模様形態であっても）、装飾層の格子模様との相乗効果により、実際のプリプレグシートで視認できるような平織の細かく編み込まれた精密性（外観、質感など）を醸し出すことができる。すなわち、上記構成によれば、装飾層を、カーボン繊維が細かく編み込まれた格子模様に近い疑似模様を塗装や印刷などの表面処理によって安価に実現できる。
【発明の効果】
【００１２】
本発明によれば、カーボン繊維が細かく編み込まれた格子模様に近い疑似模様を安価に実現できる装飾層を備える物品を提供することができる。
【図面の簡単な説明】
【００１３】
【図１】本発明の物品の一例としての釣竿の側面図である。
【図２】図１の釣竿の竿杆の表面に施される装飾層の例を示す部分斜視図である。
【図３】矩形領域の一辺の寸法が互いに異なる様々な形態の装飾層の平面図である。
【図４】装飾層を構成する第２の矩形領域の視認部の様々な形態を示す平面図である。
【発明を実施するための形態】
【００１４】
以下、図面を参照しながら、本発明に係る装飾層を備える物品の一実施形態について説明する。
【００１５】
図１には、本発明の物品の一例として釣竿１が示されている。図示のように、この釣竿１は、複数の管状体としての竿杆、具体的には、グリップ３ａを有する元竿３と、第１中竿５と、第２中竿７と、釣糸締結具９ａを有する穂先竿９とによって構成される。この場合、各竿杆３，５，７は、振出し式または並継ぎ式に構成されており、各竿杆３，５，７を構成する素材本体２０（図２参照）は、強化繊維（本実施形態では、カーボン繊維）に合成樹脂を含浸した繊維強化プリプレグ（繊維強化樹脂材）を巻回することで形成され、各竿杆３，５，７，９には装飾層Ａが全長にわたって或いは全長の一部にのみ形成されている。
【００１６】
なお、本実施形態では、素材本体２０を形成する繊維強化樹脂材の繊維が（例えば格子状に）織り込まれておらず、該繊維は、素材本体２０の表面に露出して素材本体２０の長手軸方向に沿ってのみ延びている。図２には、そのように軸長方向に延びる繊維２０ａが模式的に示されている。無論、素材本体２０の繊維の延在方向は軸長方向に限らず、繊維は、様々な方向に組み合わせて複合的に延びていてもよく、織り込まれていても構わない。
【００１７】
装飾層Ａは、スクリーン印刷やインクジェット印刷等の印刷、シールの貼り付けなどによって格子状に形成される。具体的には、装飾層Ａは、各竿杆３，５，７，９の素材本体２０の外表面上に形成されており、図３および図４に明確に示されるように、素材本体２０を全体的に視認できるようにする第１の矩形領域１０と、素材本体２０を視認できないようにする非視認部１２および素材本体２０を視認できるようにする視認部１４を有する第２の矩形領域１５（特に図４を参照）とを備えるとともに、第１の矩形領域１０と第２の矩形領域１５とが縦横に交互に隣接して格子状に配列されて成る。
【００１８】
装飾層Ａは、本実施形態では、例えば黒色の着色顔料を素材本体２０の所定の表面領域に所定の厚さで１層堆積させて形成されるが、着色顔料の色や種類（例えば、透明または不透明、あるいは、半透明など）、層厚、層数などについては、適宜設定可能である。
【００１９】
また、本実施形態において、第１および第２の矩形領域１０，１５は、全てが同じ大きさの正方形に形成されており、各隣接する領域１０，１５間に、複数の直線状の境界１８，１９を有している。すなわち、これらの境界１８，１９は、略平行に形成されると共に直交する方向に交差して領域１０，１５を区分けしており、これにより、矩形形状の複数の領域（正方形領域１０，１５）を格子模様に形成している。なお、各矩形領域１０，１５は長方形であってもよい。
【００２０】
また、本実施形態において、装飾層Ａを形成する第２の矩形領域１５の非視認部１２は、例えば黒色（他の色であっても構わない）の着色顔料を素材本体２０の外表面に所定の厚さで堆積させて形成される。一方、第２の矩形領域１５の視認部１４は、素材本体２０の外表面上に着色顔料が堆積されずに素材本体２０を外部に露出させる着色層部分の開口窓として形成され、本実施形態では、１つの第２の矩形領域１５内に複数設けられる。特に、本実施形態において、各視認部１４は、長方形または略長方形を成しており、第２の矩形領域１５の矩形の一辺１５ａと略平行に（したがって、視認部１４同士が互いに平行に）、矩形の一辺１５ａの長さの６０％〜８０％に相当する長さにわたって延びている。なお、視認部１４が正方形の形状を成しても構わない。
【００２１】
なお、各視認部１４は、素材本体２０を形成する繊維強化樹脂材の繊維２０ａの延在方向に延びて、視認部１４を通じてその繊維２０ａが見えるように位置されるが、視認部１４の延在方向と繊維２０ａの延在方向とが直交している方が、例えばカーボン繊維が細かく編み込まれた格子模様に近い疑似模様を効果的に実現でき、好ましい。また、各視認部１４は、着色層部分の開口窓としてではなく、素材本体２０を透けて見えるようにする透明の層（有色または無色）によって形成されてもよい。
【００２２】
一方、装飾層Ａを形成する第１の矩形領域１０は、素材本体２０の外表面上に着色顔料が堆積されずに素材本体２０を外部に露出させる開口として形成され、第２の矩形領域１５同士の間に位置される。あるいは、第１の矩形領域１０は、素材本体２０を透けて見えるようにする透明の層（有色または無色）によって形成されてもよい。
【００２３】
なお、本実施形態において、第２の矩形領域１５の視認部１４の長方形の短辺の長さ（線幅）Ｌ１（図４参照）は０．１５〜０．２ｍｍであることが好ましい。これは、０．１５ｍｍより小さいと、模様の印刷が困難になり、一方、０．２ｍｍよりも大きいと、実際の繊維の外観に似なくなるからである。また、第１および第２の矩形領域１０，１５の正方形の一辺１５ａの長さＬ２（図３参照）は、例えば図３に示されるように、１．２ｍｍ（図３の（ａ））、１．３ｍｍ（図３の（ｂ））、１．４ｍｍ（図３の（ｃ））、１．５ｍｍ（図３の（ｄ））、１．６ｍｍ（図３の（ｅ））に設定することが可能であり、特に１．３ｍｍ〜１．５ｍｍであることが好ましい。これは、１．３ｍｍより小さくても或いは１．５ｍｍよりも大きくても実際の繊維の外観に似なくなるからである。
【００２４】
特に、視認部１４の長方形の短辺の長さＬ１を０．１５〜０．２ｍｍに設定するとともに、第１および第２の矩形領域１０，１５の正方形の一辺の長さＬ２を１．３ｍｍ〜１．５ｍｍに設定することにより、装飾層Ａは、第１の矩形領域１０および第２の矩形領域１５の視認部１４を通じて見える素材本体２０の繊維２０ａとの相乗効果により、カーボン繊維が細かく編み込まれた格子模様に近い疑似模様を実現できる。
【００２５】
ここで、装飾層Ａを形成する第２の矩形領域１５の視認部１４、特に視認部１４の形態および１つの矩形領域１５内における視認部１４の配置状態について、図４を参照しながら説明する。
【００２６】
図４の（ａ）は、１つの第２の矩形領域１５内における視認部１４の第１の形態例を示している。図示のように、この例では、３つの長方形の視認部１４が矩形領域１５の矩形の一辺１５ａと平行に且つ互いに等間隔で途切れることなく連続的に（矩形領域１５の周囲に非視認部１２を枠状に残して）延びている。この場合、各視認部１４の端面１４ａ同士は互いに位置合わせされている。なお、視認部１４同士の間隔Ｗは、０．１５ｍｍ〜０．２ｍｍであることが好ましい。
【００２７】
図４の（ｂ）は、１つの第２の矩形領域１５内における視認部１４の第２の形態例を示している。図示のように、この例では、４つの長方形の視認部１４が矩形領域１５の矩形の一辺１５ａと平行に且つ互いに等間隔で途切れることなく連続的に（矩形領域１５の周囲に非視認部１２を枠状に残して）延びている。この場合、各視認部１４の端面１４ａ同士は互いに位置合わせされている。なお、視認部１４同士の間隔Ｗは、０．１５ｍｍ〜０．２ｍｍであることが好ましい。
【００２８】
図４の（ｃ）は、１つの第２の矩形領域１５内における視認部１４の第３の形態例を示している。図示のように、この例では、４つの長方形の視認部１４が矩形領域１５の矩形の一辺１５ａと平行に且つ互いに等間隔で（矩形領域１５の周囲に非視認部１２を枠状に残して）延びている。この場合、各視認部１４は途中が途切れて（非視認部１２により分断されて）不連続的に延びている。なお、途切れ部の位置、数、幅は適宜設定できる。なお、各視認部１４の端面１４ａ同士は互いに位置合わせされており、また、視認部１４同士の間隔Ｗは、０．１５ｍｍ〜０．２ｍｍであることが好ましい。
【００２９】
図４の（ｄ）は、１つの第２の矩形領域１５内における視認部１４の第４の形態例を示している。図示のように、この例では、４つの長方形の視認部１４が矩形領域１５の矩形の一辺１５ａと平行に且つ互いに等間隔で途切れることなく連続的に（矩形領域１５の周囲に非視認部１２を残して）延びている。この場合、各視認部１４の端面１４ａ同士は矩形の一辺１５ａに沿う方向で互いに（互い違いに）ずらされている。なお、視認部１４同士の間隔Ｗは、０．１５ｍｍ〜０．２ｍｍであることが好ましい。
【００３０】
図４の（ｅ）は、１つの第２の矩形領域１５内における視認部１４の第５の形態例を示している。図示のように、この例では、４つの長方形の視認部１４が矩形領域１５の矩形の一辺１５ａと平行に且つ互いに等間隔で途切れることなく連続的に（矩形領域１５の周囲に非視認部１２を残して）延びている。この場合、各視認部１４の端面１４ａ同士は矩形の一辺１５ａに沿う方向で互いに（互い違いに）ずらされている。また、隣り合う視認部１４の長方形の短辺の長さＬ１が互いに異なっている（一方の視認部１４が細く、他方の視認部１４が太い）。なお、視認部１４同士の間隔Ｗは、０．１５ｍｍ〜０．２ｍｍであることが好ましい。
【００３１】
図４の（ｆ）は、１つの第２の矩形領域１５内における視認部１４の第６の形態例を示している。図示のように、この例では、４つの長方形の視認部１４が矩形領域１５の矩形の一辺１５ａと平行に且つ互いに等間隔で途切れることなく連続的に（矩形領域１５の周囲に非視認部１２を枠状に残して）延びている。この場合、各視認部１４の両端面１４ａが半円弧状に丸みを帯びており、各視認部１４の端面１４ａ同士は互いに位置合わせされている。なお、視認部１４同士の間隔Ｗは、０．１５ｍｍ〜０．２ｍｍであることが好ましい。
【００３２】
図４の（ｇ）は、１つの第２の矩形領域１５内における視認部１４の第７形態例を示している。図示のように、この例では、長方形を途中で折り曲げた形態を成す４つの視認部１４が矩形領域１５の矩形の一辺１５ａに沿って途切れることなく連続的に（矩形領域１５の周囲に非視認部１２を残して）延びている。この場合、各視認部１４の折り曲げ方向は互いに同じであってもよく或いは異なっていてもよい。また、折り曲げ部の数も任意である。また、図示のように、折り曲げ部がない長方形の視認部１４が含まれていても構わない。
【００３３】
図４の（ｈ）は、１つの第２の矩形領域１５内における視認部１４の第８の形態例を示している。図示のように、この例では、４つの長方形の視認部１４が矩形領域１５の矩形の一辺１５ａと平行に且つ互いに等間隔で延びている。この場合、各視認部１４は、途中が途切れて不連続的に延びるとともに、その両端が矩形領域１５の周縁を貫いて隣接する図示しない第１の矩形領域１０と連通している。また、途切れ部分は、視認部１４の両側付近にそれぞれ設けられる。なお、途切れ部の位置、数、幅は適宜設定できる。
【００３４】
図４の（ｉ）は、１つの第２の矩形領域１５内における視認部１４の第９の形態例を示している。図示のように、この例では、３つの長方形の視認部１４が矩形領域１５の矩形の一辺１５ａと平行に且つ互いに等間隔で途切れることなく連続的に（矩形領域１５の周囲に非視認部１２を枠状に残して）延びている。この場合、各視認部１４の端面１４ａ同士は互いに位置合わせされている。また、各視認部１４の短辺の長さＬ１が途中で変化している（各視認部１４の線幅（太さ）が途中で変化している）。
【００３５】
以上説明したように、本実施形態の物品としての釣竿１の装飾層Ａは、素材本体２０を全体的に視認できる第１の矩形領域１０と、素材本体２０を視認できない非視認部１２および素材本体２０を視認できる視認部１４を有する第２の矩形領域１５とが交互に格子状に配列されることにより形成されるため、言い換えると、素材本体２０を全体的に視認できる領域１０と素材本体２０を部分的にしか視認できない領域１５とが交互に格子状に配列されて形成されるため、格子状の様々な部位から素材本体２０が奥行きをもって見え隠れする立体感およびグラデーションのある模様を実現できる。
【００３６】
したがって、素材本体２０の外表面にカーボン繊維２０ａが露出さえしていれば（平織のような繊維の複雑な編み込み形態（特に格子模様）ではなく、本実施形態のように単純に繊維２０ａが軸長方向に延びているだけの無模様形態であっても）、装飾層Ａの格子模様との相乗効果により、実際のプリプレグシートで視認できるような平織の細かく編み込まれた精密性（外観、質感など）を醸し出すことができる。すなわち、本実施形態によれば、装飾層Ａを、カーボン繊維が細かく編み込まれた格子模様に近い疑似模様を塗装や印刷などの表面処理によって安価に実現できる。
【００３７】
なお、本発明は、前述した実施形態に限定されず、種々変形して実施することが可能である。例えば、前述した実施形態では、装飾層Ａが釣竿１に設けられているが、装飾層Ａは、釣竿に限定されず、様々な形状の様々な物品に適用できる。
【符号の説明】
【００３８】
１  釣竿（物品）
１０  第１の矩形領域
１２  非視認部
１４  視認部
１５  第２の矩形領域
２０  素材本体
２０ａ  繊維
Ａ  装飾層
【図１】
2015195733.tif 000003
【図２】
2015195733.tif 000004
【図３】
2015195733.tif 000005
【図４】
2015195733.tif 000006